(57)【要約】【課題】  携帯電話機などを使った一般参加型のサッカーの予想投票システムを提供する。【解決手段】  アプリケーションサーバ５では抽出手段によって最初の時間枠内での的中投票をデータの中から抽出する。そして抽出した的中投票数をカウントし、カウントした的中投票数を総投票数とともにモバイル端末４に送信する。次いで２番目の時間枠が経過した時点で、２番目の時間枠内での的中投票が判明する。そこで、アプリケーションサーバ５では、最初の時間枠内で抽出された的中投票の中から、抽出手段によって２番目の時間枠内での的中投票を抽出する。即ち、連続して２回的中した投票のみを抽出する。このようにして、最終の時間枠まで上記の抽出を繰り返し、最終の時間枠での的中投票を抽出し、その数をカウントして最終的中投票数とし、この最終的中投票数でポイントや賞金を除算し、その値を的中投票者への配当ポイント（配当金）とする。【選択図】  図５
2011108030.tif 000002
【特許請求の範囲】
【請求項１】
ネットワークに接続されたアプリケーションサーバと、携帯電話機などの双方向通信が可能なモバイル端末とで構成されるサッカーの予想投票システムであって、
前記アプリケーションサーバは、投票プログラムを実行するＣＰＵを有し、
前記投票プログラムは、
対戦する２つのチームの試合開始から試合終了までの時間を所定時間ごとに区切ったスコア表を前記モバイル端末に送信する送信手段と、
モバイル端末から送信されてきたＩＤを認識して当該モバイル端末からの投票を受け付けるか否かを判断する判断手段と、
投票が許容されたモバイル端末からの前記スコア表に従って記入された予想投票を記憶保存する記憶手段と、
前記記憶手段に記憶された予想投票の中から所定時間ごとに区切られた時間枠のうち最初の時間枠内での予想が的中している投票のみを抽出し、最初の時間枠内で抽出した投票の中から次の時間枠内での予想が的中している投票を抽出し、以後この抽出を時間枠に沿って順次行う抽出手段と、
的中した予想が存在する時間枠のうちでの最後の時間枠内での予想が的中している投票数をカウントするカウント手段と、
ポイントまたは賞金を前記カウント手段でカウントした最終投票数で除算する計算手段と、
最終時間枠まで残った投票を行ったモバイル端末に前記計算手段で除算したポイントまたは賞金を通知する送信手段と、
を備えることを特徴とするサッカーの予想投票システム。
【請求項２】
請求項１に記載のサッカーの予想投票システムにおいて、前記送信手段は、前記抽出手段によって抽出した正解投票数を、各時間枠が終了した後に投票者のモバイル端末に送信する機能を有することを特徴とするサッカーの予想投票システム。
【発明の詳細な説明】
【技術分野】
【０００１】
本発明は、携帯電話機などのモバイル端末を使ったサッカーの予想投票システムに関する。
【背景技術】
【０００２】
サッカーは古くから賭けやくじの対象とされ、イタリアではトトカルチョ、イギリスではフットボールプール、スペインではキニエラと称され、広く一般に馴染まれている。また最近ではわが国でもスポーツ振興クジ（ＴＯＴＯ）としてサッカーくじが普及しつつある。
【０００３】
しかしながら、スポーツ振興クジを例にとれば、参加人数が頭打ちとなり、深刻な問題となっている。そこで、参加人数を増やすべく、特許文献１では、ネットワークを介した携帯電話などの接続端末から勝敗予想を入力することを可能にした提案がなされている。
【０００４】
そして、単に携帯電話などからの投票を可能にするだけでなく、更なる工夫がなされた提案として、特許文献２には、あらかじめ競技を複数の配当集計区間に分割し、参加時に与えられた原資ポイントを投票するたびに減算し、ポイントがゼロになるまで繰り返し投票可能とし、競技終了後に投票レコードを前記集計区間番号で抽出して集計区間ごとに投票ポイントと的中投票ポイントを合計し、前者を後者で除した値を配当率とし、的中した会員の投票レコードの投票ポイントに前記配当率を乗じたポイントを獲得せしめる内容が開示されている。
【０００５】
また、特許文献３には、所定チームが所定期間に予め定められた回数だけ他のチームと行う複数の試合についての所定期間を通じた最終的な試合結果を予測対象とするくじを販売するとともに、初回の試合が開始して最終試合までの残りの試合が存在している期間中であれば、くじを購入することが可能なシステムが提案されている。
【０００６】
また、特許文献４には、モバイル端末を用いた投票ではないが、ゲーム中での特定の時点（クオーターまたはハーフ終了時）におけるスコアを予想するシステムが提案されている。
また、特許文献５には、クイズ問題を提供し、応答した視聴者の中から正解者だけに、次の問題の解答権を与える勝ち抜け型のクイズ番組で携帯電話を用いたシステムが提案されている。
【先行技術文献】
【特許文献】
【０００７】
【特許文献１】特開２００２−１３３０２０号公報
【特許文献２】特開２００９−１４０１８７号公報
【特許文献３】特開２００９−２３０６３９号公報
【特許文献４】特表２００７−５３５３８３号公報
【特許文献５】特開平０９−０６５３０８号公報
【発明の概要】
【発明が解決しようとする課題】
【０００８】
従来のサッカーの予想投票システムは、複数の試合の勝ち、負けおよび引き分けを当てることを基本としている。このため、自分に興味のない試合の予想や、自分が予想した複数の試合がかち合う場合には、全ての試合を見ながらくじを楽しむことができない。
【０００９】
また、特許文献２をサッカーに適用したと仮定すると、１つの試合の試合時間を複数の配当集計区間に分けることになるが、特許文献２にあっては、各配当集計区間内で投票を可能としたり、各配当集計区間ごとに配当率が変化したり、ルールが複雑で多くの参加者を集めることはできないと考えられる。
【００１０】
また、特許文献４に提案されるような試合中の特定の時点でのスコアを予想する場合も、くじ的には倍率が高くなるわけではないので、確率的或いは配当的な面白味が増すわけではない。
【００１１】
更に、特許文献５のような勝ち抜けシステムは正解者の人数をクイズごとに絞ることができるが、この方法を複数の時間枠を設定した本願方法には適用することはできない。例えば１１分から２０分の時間枠を考えると、回答者は２０分ぎりぎりまで回答しないことになり、設定した時間枠の最後に投票が集中してサーバの処理能力をオーバーしてしまうことが考えられ、また殆どが的中となり正解者を絞ることができない。
【課題を解決するための手段】
【００１２】
上記課題を解決するため本発明に係るサッカーの予想投票システムは、ネットワークに接続されたアプリケーションサーバと、携帯電話機などの双方向通信が可能なモバイル端末とで構成されるサッカーの予想投票システムであって、
前記アプリケーションサーバは、投票プログラムを実行するＣＰＵを有し、
前記投票プログラムは、
対戦する２つのチームの試合開始から試合終了までの時間を所定時間ごとに区切ったスコア表を前記モバイル端末に送信する送信手段と、
モバイル端末から送信されてきたＩＤを認識して当該モバイル端末からの投票を受け付けるか否かを判断する判断手段と、
投票が許容されたモバイル端末からの前記スコア表に従って記入された予想投票を記憶保存する記憶手段と、
前記記憶手段に記憶された予想投票の中から所定時間ごとに区切られた時間枠のうち最初の時間枠内での予想が的中している投票のみを抽出し、抽出した投票の中から次の時間枠内での予想が的中している投票を抽出し、以後この抽出を時間枠に沿って順次行う抽出手段と、
的中した予想が存在する時間枠のうちでの最後の時間枠内での予想が的中している投票数をカウントするカウント手段と、
ポイントまたは賞金を前記カウント手段でカウントした最終投票数で除算する計算手段と、
最終時間枠まで残った投票を行ったモバイル端末に前記計算手段で除算したポイントまたは賞金を通知する送信手段とを備える。
【００１３】
前記所定時間とは５分間、１０分間或いは１５分間とするのが好ましい。１０分間とした場合には、前半の終了前５分間と後半の開示５分間とを足して１０分間とする。またロスタイムは前後半の最後の１０分間の中に組み込む。さらに延長戦がある場合には、後半の最後の１０分間に組み込むことが考えられる。
【００１４】
前記ＩＤとしては、ＳＩＭカードなどの個々のモバイル端末が保有する機器固有のＩＤ、予想投票システムの会員番号、特定商品に付されている個体番号，クレジット番号などが挙げられる。
【００１５】
ゲームの面白味を増すため、各時間枠が終了した後に、サーバから投票者のモバイル端末に当該時間枠が終了した時点での、生き残った正解投票数及び総投票数を送信するようにしてもよい。
【発明の効果】
【００１６】
本発明によれば、試合の開始から終了までの間を複数の時間帯に分け、各時間帯毎の対戦チームのスコアを予想し、最初の時間帯で予想が外れた投票はサドゥンデス方式によって失格し、最初の時間帯で予想が当たった投票のみが次の時間帯に進むことができ、以後、最終の時間帯か予想が当たっている投票がなくなる時間帯まで上記のサドゥンデス方式を繰り返すようにしたので、仮に５〜１５分間という短い時間内であれば、０−０、０−１、１−０及び１−１の４種類しか考える必要がないとしても、４の９乗の確率となり、高ポイント或いは高額賞金となる可能性があり、参加者の増加を期待できる。
【００１７】
また、各時間枠が終了したら直ちに生き残りの投票数を投票したモバイル端末に送信することで、ゲームが盛上る。
【図面の簡単な説明】
【００１８】
【図１】本発明に係るシステムの一実施形態の構成を表わすブロック図
【図２】モバイル端末側のフローチャート
【図３】サーバ側のフローチャート
【図４】モバイル端末に表示されるスコア表の一例を示す図
【図５】スコア部クリック時の投票データ選択画面
【図６】スコア記入後のスコア表の一例を示す図
【図７】別のスコア表の一例を示す図
【発明を実施するための形態】
【００１９】
以下に本発明を実施するための最良の形態を図面に基づいて詳細に説明する。
図１に示すように本発明に係るサッカーの予想投票システムは、インターネットなどのネットワーク１と、ネットワーク１に通信を行うべく携帯電話事業者が管理する基地局２と、アンテナ３を介して基地局２と通信を行う携帯電話機などのモバイル端末４と、データーベース６を持つアプリケーションサーバ５で構成される。ネットワーク１への携帯電話機４からのアクセスは、ｉモード（登録商標）、ＥＺネットワーク（登録商標）やヤフー（登録商標）ケータイなどのネットワークが使える。
【００２０】
アプリケーションサーバ５は、モバイル端末４とＳＳＬ通信するための相互認証機能やデーターベース６の制御を含むアプリケーションソフトウェアと、モバイル端末４から受信した内容を格納するメモリとで構成されるサーバコンピュータであり、本発明の予想投票システムを実行するＣＰＵを有する。
【００２１】
アプリケーションサーバ５のハードウェアは、汎用のサーバコンピュータが使え、ＣＰＵ、ＲＯＭ、ＲＡＭ、ＨＤＤ、ＢＩＯＳ、通信インターフェース部（ＣＯＭ  Ｉ／Ｆ）、キーボードＫＢやマウスＭＳなどの入力部、およびディスプレイＤＳＰで構成されている。このうち、ＲＯＭ、ＲＡＭ、ＨＤＤ、ＢＩＯＳ、通信インターフェース部（ＣＯＭ  Ｉ／Ｆ）はバスを介して前記ＣＰＵと接続されていて、キーボードＫＢやマウスＭＳはヒューマンインターフェースＨＩ／Ｆを介して前記ＣＰＵと接続されている。
【００２２】
上記の構成において、ＲＯＭは、システムプログラムを記憶する読み出し専用記憶デバイスである。ＣＰＵは、ＢＩＯＳやＲＯＭに記憶されているシステムプログラムによって起動され、ＲＡＭに展開されたプログラム（アプリケーションプログラム）にしたがって各種の処理を実行する機能を持つ。
【００２３】
またＣＰＵは、入力部からの信号をトリガとして、前記システムプログラムの演算結果などをディスプレイに表示させる機能も持ち、ＲＡＭは、前記ＣＰＵが各種の処理を実行する上において必要なプログラムやデータなどを適宜記憶する機能を持つ。
【００２４】
通信インターフェース部は、ハードディスク、通信部インターフェース部、入力部１８、およびディスプレイの入出力を管理する。ディスプレイＤＳＰは、ＣＲＴやＬＣＤなどにより構成され、ＣＰＵの制御によってＣＰＵの演算結果や外部からの入力データを表示する機能を持っている。前記ＣＰＵ、ＲＯＭ、ＲＡＭ、ハードディスク、通信インターフェース部、キーボードやマウスなどの入力部、およびディスプレイは、バスを介して、ＣＰＵを中心として相互に接続されている。
【００２５】
図２は、モバイル端末側のフローチャートを、図３は、サーバ側のフローチャートをそれぞれ例示している。前記アプリケーションサーバ５にモバイル端末４からのアクセスがあると、相互認証にＳＳＬの暗号化通信を実行し、データ通信確立後にモバイル端末４からＩＤを取得し、取得したＩＤを登録されたデータと照合し当該モバイル端末からの投票を受け付けるか否かを判断する。取得するＩＤとしてはモバイル端末固有のＩＤ、購入商品に記されている商品の個体番号、会員登録番号などを使用する。
【００２６】
ＩＤを認識できず、投票を受け付けないと判断した場合は、その旨をモバイル端末４に送信して処理を終了する。
【００２７】
投票を受け付けると判断した場合は、同一人（同一モバイル端末４）からの同一試合に対する重複投票か否かを判断する。例えば、飲料ボトルのキャップの裏側などに商品の個体番号を付している場合には、当該番号をモバイル端末に付設されたカメラで読み込み、これをＩＤとするとともに、１商品１投票と決めた場合には、同じ商品の個体番号からの２回目以降の投票は受け付けない。尚、重複投票を認める場合にはこの判断は行わない。
【００２８】
次いで、投票を行える残金或いは残ポイントがあるかを確認する。商品の個体番号をＩＤとして使用する場合には、この判断は行わない。尚、重複投票、残金、残ポイントなどの判断は後述する投票者からのスコアシートを受信した後に行ってもよい。
【００２９】
投票資格を有すると判断した場合には、アプリケーションサーバ５から当該モバイル端末４に投票用のスコアシート７を送信する。このスコアシート７は、例えば図４に示すように、矩形枠内の中央に時間枠８を設け、この時間枠８の左右に対戦チーム名９を表示している。
【００３０】
この実施例では試合開始から終了までを１０分ごとの時間枠８に分割している。例えば図において「２０」は１１分から２０分の間の時間枠を示す。尚、秒の取り扱いは、切り上げとしている。例えば１０分１秒での得点は１１分での得点とする。また時間枠「５０」の横破線はハーフタイムを挟むことを意味する。
【００３１】
また各時間枠２の左右にはチームごとの得点を表示するスコア窓１０が１８個設けられている。
各スコア窓１０は投票者の予想スコアを特定する窓であり、特定のスコア窓１０をクリックすると図４に示す得点選択画面１１に切り替わる。得点選択画面１１には、チーム名と時間枠の他に、４つのスコアボタン１２ａ、１２ｂ、１２ｃ及び１２ｄが設けられている。
【００３２】
スコアボタン１２ａ、１２ｂはそれぞれ得点が１、２を予想した場合のボタンであり、スコアボタン１２ｃは１０分間で得点が３点以上の場合はレアケースなのでまとめて「３以上」とし、更に、スコアボタン１２ｄはスコアが１か２の両方を予想するマルチ用のボタンである。
【００３３】
因みに予想スコアが「０」の場合は、デフォルトの表示が「０」であるので、そのまま次のスコア窓に進めばよい。また、マルチのスコアボタン１２ｄを選択した場合は、２通りの予想投票をしたことになるので、購入金額（ポイント）は２倍になる。またマルチのスコアボタン１２ｄを選択した回数がｎ回あった場合には、２のｎ乗通りの予想投票をしたことになる。
また「１または２」の代わりに「０または１」としたスコアボタンを設けてもよい。
【００３４】
以上の如くして、両チームの最終時間枠までのスコアを記入したものが図４である。スコア表７にはトータルのスコア表示部１３が設けられているので、投票者は自分の予想が正しく入力されたか否かを確認できる。
【００３５】
そして、予想が正しく入力されていることを確認できたら、スコア表７の下に設けられた確認ボタン１４をクリックする。この場合記入漏れがあるか否かを自動的にチェックし、記入漏れがあった場合にはその箇所を指摘する。その後、問題がなければ確認ボタン１４の右側の送信ボタン１５をクリックすることで、予想内容がサーバに送信される。
【００３６】
アプリケーションサーバ５では受信した前記スコア表７に従って記入された予想投票を記憶手段に記憶保存する。
【００３７】
試合が開始され最初の１０分間が経過した時点で最初の時間枠内での的中投票が判明する。そこで、アプリケーションサーバ５では前記記憶手段に記憶保存されているデータの中から、抽出手段によって最初の時間枠内での的中投票を抽出する。
【００３８】
前記抽出した的中投票数をカウントし、カウントした的中投票数を総投票数とともにモバイル端末４に送信する。送信するモバイル端末としては、的中投票を行ったモバイル端末のみにしてもよい。
【００３９】
次いで２番目の時間枠が経過した時点で、２番目の時間枠内での的中投票が判明する。そこで、アプリケーションサーバ５では、最初の時間枠内で抽出された的中投票の中から、抽出手段によって２番目の時間枠内での的中投票を抽出する。即ち、連続して２回的中した投票のみを抽出する。
【００４０】
このようにして、最終の時間枠（８１〜９０分）まで上記の抽出を繰り返し、最終の時間枠（８１〜９０分）での的中投票を抽出し、その数をカウントして最終的中投票数とし、この最終的中投票数でポイントや賞金を除算し、その値を的中投票者への配当ポイント（配当金）とする。
【００４１】
配当は最終的中投票者のみでなく、１つ前或いは２つ前の時間枠での的中投票者までを対象とし、配当率に差をつけて分配するようにしてもよい。
また、最終の時間枠に的中投票がない場合には、最終の時間枠に最も近い時間枠で且つ的中投票がある時間枠を最終の時間枠として扱う。
【００４２】
以上の如くして、最終的中投票数および配当ポイント（配当金）が確定したら、最終的中投票を行ったモバイル端末４にアプリケーションサーバ５から配当ポイント（配当金）を通知する。尚、配当ポイント（配当金）は特定の口座に加算或いは振り込まれる。
【００４３】
図７は別のスコア表の一例を示す図であり、この別実施例では前後半をそれぞれ、序盤の１５分、中盤の１５分、終盤の１５分に分け、それぞれの時間枠でのスコアを予想するようにしている。
【産業上の利用可能性】
【００４４】
本発明に係るサッカーの予想投票システムは、野球などの他の競技には向かない。
例えば、野球には９回のイニングがあるので、このイニングを本実施例の１０分に当て嵌めたと仮定する。しかしながら、野球では１イニングで６点、７点入ることがしばしば起こり、各イニングでの得点を予想することは極めて難しく、的中投票がないケースが多々起こり得るので、却って興味がなくなってしまう。
【００４５】
一方、本発明はサッカーの国際試合やプロの試合時間が９０分であること、５〜１５分の時間枠では、３点以上の点数が入るのは極めて希であることに着目し、これらと配当の妙味を考慮したサッカーに特化したシステムである。
【符号の説明】
【００４６】
１…ネットワーク、２…携帯電話機の基地局、３…基地局アンテナ、４…モバイル端末、５…アプリケーションサーバ、６…データーベース、７…スコアシート、８…時間枠、９…対戦チーム名、１０…スコア窓、１１…得点選択画面、１２ａ、１２ｂ、１２ｃ、１２ｄ…スコアボタン、１３…スコア表示部、１４…確認ボタン、１５…送信ボタン、
Ｍ０１…モバイル端末４のアプリケーションを起動、
Ｍ０２…モバイル端末４からＩＤを送信し、画面にて試合を選択、
Ｍ０３…モバイル端末４がアプリケーションサーバ５から投票画面を受信、
Ｍ０４…投票画面にて予想スコアを入力、
Ｍ０５…投票画面の全予測スコアの内容を確認、
Ｍ０６…モバイル端末４からアプリケーションサーバ５にデータ送信、
Ｍ０７…モバイル端末４のアプリケーションを終了、
Ｓ０１…アプリケーションサーバ５の起動、
Ｓ０２…モバイル端末４からのデータ受信、
Ｓ０３…モバイル端末４のＩＤ確認、
Ｓ０４…モバイル端末４のＩＤを確認できない場合にエラー通知、
Ｓ０５…モバイル端末４に投票画面を送信、
Ｓ０６…モバイル端末４から投票画面の全予測スコアの内容を受信、
Ｓ０７…モバイル端末４のＩＤと残高を確認、
Ｓ０８…最初の時間枠での結果が的中した投票者の抽出、
Ｓ０８ａ…最初の時間枠での的中投票数と総得票数をモバイル端末４に送信、
Ｓ０９…二番目の時間枠での結果が的中した投票者の抽出、
Ｓ０９ａ…二番目の時間枠での的中投票数と総得票数をモバイル端末４に送信、
Ｓ１０…最後の時間枠での結果が的中した投票者の抽出、
Ｓ１１…最終勝抜者を確定後、配当計算して、的中者のモバイル端末４に送信、
Ｓ１２…プログラムの終了。
【図１】
2011108030.tif 000003
【図２】
2011108030.tif 000004
【図３】
2011108030.tif 000005
【図４】
2011108030.tif 000006
【図５】
2011108030.tif 000007
【図６】
2011108030.tif 000008
【図７】
2011108030.tif 000009
【手続補正書】
【提出日】平成22年2月9日(2010.2.9)
【手続補正１】
【補正対象書類名】特許請求の範囲
【補正対象項目名】全文
【補正方法】変更
【補正の内容】
【特許請求の範囲】
【請求項１】
ネットワークに接続されたアプリケーションサーバと、携帯電話機などの双方向通信が可能なモバイル端末とで構成されるサッカーの予想投票システムであって、
前記アプリケーションサーバは、投票プログラムを実行するＣＰＵを有し、
前記投票プログラムは前記アプリケーションサーバを、
対戦する２つのチームの試合開始から試合終了までの時間を所定時間ごとに区切って予想スコアの記入欄が設けられたスコア表を前記モバイル端末に送信する送信手段として、
モバイル端末から送信されてきたＩＤを認識して予め前記アプリケーションサーバに登録されているＩＤと比較し一致した場合に当該モバイル端末からの投票を受け付けるＩＤ判断手段として、
投票が許容されたモバイル端末からの前記スコア表に書き込まれた予想投票を前記ＩＤと関連付けて記憶保存する記憶手段として、
前記記憶手段に記憶された予想投票の中から所定時間ごとに区切られた時間枠のうち最初の時間枠の記入欄に記入された予想スコアと実際のスコアを比較して的中している投票のみを抽出し、最初の時間枠内で抽出した的中投票の中から次の時間枠の記入欄に記入された予想スコアと実際のスコアを比較して的中している投票を抽出し、以後この抽出を時間枠に沿って順次行う抽出手段として、
的中した予想が存在する時間枠のうちでの最後の時間枠内での予想が的中している投票数をカウントするカウント手段として、
ポイントまたは賞金を前記カウント手段でカウントした最終投票数で除算する計算手段として、
最終時間枠まで残った投票に関連付けられたＩＤから的中投票を行ったＩＤ所有者のモバイル端末を特定し、このモバイル端末に前記計算手段で除算したポイントまたは賞金を通知する送信手段として、
機能させるためのプログラムであることを特徴とするサッカーの予想投票システム。
【請求項２】
請求項１に記載のサッカーの予想投票システムにおいて、前記送信手段は、前記抽出手段によって抽出した的中投票数を、各時間枠が終了した後に投票者のモバイル端末に送信する機能を有することを特徴とするサッカーの予想投票システム。
【手続補正書】
【提出日】平成22年3月16日(2010.3.16)
【手続補正１】
【補正対象書類名】特許請求の範囲
【補正対象項目名】全文
【補正方法】変更
【補正の内容】
【特許請求の範囲】
【請求項１】
ネットワークに接続されたアプリケーションサーバと、携帯電話機などの双方向通信が可能なモバイル端末とで構成されるサッカーの予想投票システムであって、
前記アプリケーションサーバは、投票プログラムを実行するＣＰＵを有し、
前記投票プログラムは前記アプリケーションサーバを、
対戦する２つのチームの試合開始から試合終了までの時間を所定時間ごとに区切って予想スコアの記入欄が設けられたスコア表を前記モバイル端末に送信する送信手段として、
モバイル端末から送信されてきたＩＤを認識して予め前記アプリケーションサーバに登録されているＩＤと比較し一致した場合に当該モバイル端末からの投票を受け付けるＩＤ判断手段として、
投票が許容されたモバイル端末からの前記スコア表に書き込まれた予想投票を前記ＩＤと関連付けて記憶保存する記憶手段として、
前記記憶手段に記憶された予想投票の中から所定時間ごとに区切られた時間枠のうち最初の時間枠の記入欄に記入された予想スコアと実際のスコアを比較して的中している投票のみを抽出し、最初の時間枠内で抽出した的中投票の中から次の時間枠の記入欄に記入された予想スコアと実際のスコアを比較して的中している投票を抽出し、以後この抽出を時間枠に沿って順次行う抽出手段として、
的中した予想が存在する時間枠のうちでの最後の時間枠内での予想が的中している投票数をカウントするカウント手段として、
ポイントまたは賞金を前記カウント手段でカウントした最終投票数で除算する計算手段として、
前記抽出手段によって抽出した的中投票数を、各時間枠が終了した後に投票者のモバイル端末に送信するとともに、最終時間枠まで残った投票に関連付けられたＩＤから的中投票を行ったＩＤ所有者のモバイル端末を特定し、このモバイル端末に前記計算手段で除算したポイントまたは賞金を通知する送信手段として、
機能させるためのプログラムであることを特徴とするサッカーの予想投票システム。